(57)【要約】【課題】メディアプロジェクタシステムを提供する。【解決手段】  本発明に係るシステムは、メディアコンテンツを再生するように構成されるメディアプレイヤ（１１０）と、メディアプレイヤに動作可能に結合されるプロジェクタ（１００）と、メディアプレイヤ及びプロジェクタに動作可能に結合される第１の制御ユニット（１４０）とを具備し、第１の制御ユニットは、プロジェクタが動作の準備ができているか否かを判断するように構成され、プロジェクタが動作の準備ができるまでメディアプレイヤがメディアコンテンツを再生しないようにするように構成される。【選択図】図１
2008506216.tif 000002
【特許請求の範囲】
【請求項１】
メディアコンテンツを再生するように構成されるメディアプレイヤ（１１０）と、
前記メディアプレイヤに動作可能に結合されるプロジェクタ（１００）と、
前記メディアプレイヤ及び前記プロジェクタに動作可能に結合される第１の制御ユニット（１４０）と
を具備するシステム（１０）であって、
前記第１の制御ユニットは、前記プロジェクタが動作の準備ができているか否かを判断するように構成され、前記第１の制御ユニットは、前記プロジェクタが動作の準備ができるまで前記メディアプレイヤが前記メディアコンテンツを再生しないようにするように構成される、システム。
【請求項２】
前記第１の制御ユニットは、前記メディアプレイヤに関連する再生状態を検出することに応じて、前記プロジェクタが動作の準備ができているか否かを判断するように構成される、請求項１に記載のシステム。
【請求項３】
前記第１の制御ユニットは、前記プロジェクタが電源投入され、動作の準備ができているか否かを判断するように構成され、前記第１制御ユニットは、前記プロジェクタが電源投入され、動作の準備ができるまで、前記メディアプレイヤが前記メディアコンテンツを再生しないようにするように構成される、請求項１に記載のシステム。
【請求項４】
前記第１の制御ユニットは、前記プロジェクタが電源投入されていないことを検出することに応じて、前記プロジェクタが電源投入されるようにするように構成される、請求項１に記載のシステム。
【請求項５】
前記プロジェクタは第２の制御ユニット（１０８）を備え、前記第１の制御ユニットは、前記プロジェクタが電源投入されていないことを検出することに応じて、前記プロジェクタが電源投入されるように前記第２の制御ユニットに第１の信号を提供するように構成される、請求項１に記載のシステム。
【請求項６】
前記第１の制御ユニットは、前記メディアプレイヤに関連する再生状態を検出することに応じて、前記プロジェクタが電源投入されるように前記第２の制御ユニットに前記第１の信号を提供するように構成される、請求項５に記載のシステム。
【請求項７】
前記メディアプレイヤは、前記メディアコンテンツが再生されるようにするように構成される第３の制御ユニット（１１２）を備え、前記第１の制御ユニットは、前記第２の制御ユニットに前記第１の信号を提供することに続き、前記メディアコンテンツが再生されるように前記第３の制御ユニットに第２の信号を提供するように構成される、請求項５に記載のシステム。
【請求項８】
前記プロジェクタは、ランプ（１０２）及び空間光変調器（１０４）を備え、前記第１の制御ユニットは、前記ランプが完全に照明されていると判断することに応じて、前記プロジェクタが動作の準備ができていると判断するように構成される、請求項１に記載のシステム。
【請求項９】
前記メディアコンテンツはデジタルビデオディスク（ＤＶＤ）を含む、請求項１に記載のシステム。
【請求項１０】
メディアプレイヤ（１１０）内のディスクに関連するディスク再生状態を検出することと、
前記ディスク再生状態を検出することに応じて、前記メディアプレイヤに動作可能に結合されるプロジェクタ（１００）が動作の準備ができているか否かを判断することと、
前記プロジェクタが動作の準備ができていると判断することに続いて、前記ディスクが再生されるように前記メディアプレイヤに第１の信号を提供することと
を含む方法。
【発明の詳細な説明】
【技術分野】
【０００１】
本発明は、メディアプロジェクタシステムに関する。
【背景技術】
【０００２】
［背景］
スクリーンに画像を表示するように構成されるデジタルプロジェクタシステムは、通常、比較的高出力なランプを含む。ランプは、スクリーン上に画像を投影するように調整される光源としての役割を果たす。ランプは、プロジェクタが画像の表示を開始する幾らか前にオンされて、ランプがその最大出力に達することを可能にすることが多い。このウォームアップ期間中、プロジェクタは、スクリーン上に画像を完全に表示することはできない場合がある。プロジェクタランプがウォームアップされる前にプロジェクタに入力されるビデオ信号に関連するいかなるビデオも表示されない可能性がある。その結果、プロジェクタランプがウォームアップされる前は、見ている人に、ビデオの一部が見えない可能性がある。
【特許文献１】国際公開第０２／１９７０３号
【特許文献２】欧州特許出願公開第１１９７７９４号
【特許文献３】米国特許第４９４２４８８号
【特許文献４】米国特許出願公開第２００１／０１３８５６号
【特許文献５】韓国特許第４２５７３０号
【非特許文献１】DATEBASE WPI Section EI, Week 200451 Derwent Publications Ltd., London, GB; Class T01, AN 2003-604476 XP002347129
【発明の開示】
【課題を解決するための手段】
【０００３】
［概要］
本発明の一形態は、メディアコンテンツを再生するように構成されるメディアプレイヤと、メディアプレイヤに動作可能に結合されるプロジェクタと、メディアプレイヤ及びプロジェクタに動作可能に結合される制御ユニットとを具備するシステムを提供する。制御ユニットは、プロジェクタが動作の準備ができているか否かを判断するように構成され、制御ユニットは、プロジェクタが動作の準備ができるまでメディアプレイヤがメディアコンテンツを再生しないようにするように構成される。
【発明を実施するための最良の形態】
【０００４】
［詳細な説明］
好ましい実施形態の以下の詳細な説明では、その一部を形成する添付図面を参照し、そこでは、本発明を実施することができる特定の実施形態が例として示されている。他の実施形態を利用してもよく、本発明の範囲から逸脱することなく、構造的又は論理的変更を行ってもよい、ということが理解されるべきである。したがって、以下の詳細な説明は、限定する意味でとられるべきではなく、本発明の範囲は添付の特許請求の範囲によって定義される。
【０００５】
図１は、本発明の一実施形態によるメディアプロジェクタシステム１０を示すブロック図である。メディアプロジェクタシステム１０は、プロジェクタ１００、メディアプレイヤ１１０、ソース選択ユニット１２０、１つ又は複数のスピーカ１３０、入出力ユニット１３４及び制御ユニット１４０を備える。プロジェクタ１００、メディアプレイヤ１１０、ソース選択ユニット１２０、スピーカ１３０、入出力ユニット１３４及び制御ユニット１４０を含むメディアプロジェクションシステム１０は、ハウジング（図示せず）内に入れられる（enclosed）。
【０００６】
プロジェクタ１００は、ランプ１０２、空間光変調器１０４、レンズ１０６及び制御ユニット１０８を備える。プロジェクタ１００は、ソース選択ユニット１２０からビデオ信号を受け取り、ビデオ信号に応じて、矢印１０９によって示すように、ランプ１０２、空間光変調器１０４、レンズ１０６及び制御ユニット１０８を使用してスクリーン又は他の面に画像が表示されるようにする。
【０００７】
より詳細には、ランプ１０２は、空間光変調器１０４に対して光源を提供する。空間光変調器１０４は、ビデオ信号に応じてレンズ１０６を通して光源の選択された部分を反射することにより、スクリーン又は他の面に画像が投影されるようにする。制御ユニット１０８は、ランプ１０２及び空間光変調器１０４の動作を制御する。ランプ１０２は、超高圧水銀ランプ、キセノンランプ、金属ハロゲンランプ又は他の適当なプロジェクタランプであってもよい。
【０００８】
図２Ａ及び図２Ｂに示すように、空間光変調器１０４は、デジタルマイクロミラーデバイス（ＤＭＤ）又は液晶ディスプレイ（ＬＣＤ）デバイスを備えてもよい。図２Ａは、本発明の一実施形態による空間光変調器１０４Ａを示すブロック図である。図２Ｂは、本発明の別の実施形態による空間光変調器１０４Ｂの選択された部分を示すブロック図である。プロジェクタ１００は、空間光変調器１０４Ａ、空間光変調器１０４Ｂ又は別の適当な空間光変調器を備えてもよい。
【０００９】
図２Ａに示す実施形態では、空間光変調器１０４Ａは、デジタルマイクロミラーデバイス（ＤＭＤ）２０２を備える。ＤＭＤ２０２は、各々がランプ１０２からの光を反射するか又は反射しないように構成される複数の微小ミラーを備える。反射光は、レンズ１０６を通るように向けられることにより、プロジェクタ１００から離れて配置されるスクリーン又は他の面に画像を形成する。
【００１０】
図２Ｂに示す実施形態では、空間光変調器１０４Ｂは、液晶ディスプレイ（ＬＣＤ）２１２を備える。ＬＣＤ２１２は、各々がランプ１０２からの光を透過させるか又は遮蔽するように構成される複数の液晶を備える。透過光はレンズ１０６を通るように向けられることにより、プロジェクタ１００から離れて配置されるスクリーン又は他の面に画像を形成する。
【００１１】
プロジェクタ１００は、制御ユニット１０８を使用して制御ユニット１４０から制御信号を受け取る。プロジェクタ１００は、制御ユニット１０８を使用して制御ユニット１４０に情報を提供する。制御ユニット１０８は、ランプ１０２及び空間光変調器１０４に制御信号を提供する。たとえば、制御ユニット１０８は、ランプ１０２がオン又はオフするようにし且つ空間光変調器１０４に電力が提供されるように構成される。制御ユニット１０８はまた、ランプ１０２及び空間光変調器１０４に関連するエラー状態を検出しエラー状態を制御ユニット１４０に報告するように構成される。
【００１２】
メディアプレイヤ１１０は、制御ユニット１１２及びメディアドライブ１１４を備える。メディアプレイヤ１１０は、メディアコンテンツ、たとえばオーディオ及び／又はビジュアルコンテンツを、ディスク又は他のメディアからプロジェクタ１００及び／又はスピーカ１３０にソース選択ユニット１２０を使用して提供する。メディアドライブ１１４は、メディアプロジェクタシステム１０のユーザによって挿入される１つ又は複数のディスク又は他のメディアを受け入れる。ディスクは、デジタルビデオディスク（ＤＶＤ）、コンパクトディスク（ＣＤ）（たとえば、ＣＤ−ＲＯＭ、ＣＤ−Ｒ、ＣＤ−ＲＷ及びＣＤ＋ＲＷ）、若しくはオーディオ及び／又はビジュアルコンテンツを格納するように構成される他のディスクを含んでもよい。オーディオ及び／又はビジュアルコンテンツは、ＤＶＤ、ＣＤオーディオ、ＭＰ３、ＪＰＥＧ、ＱｕｉｃｋＴｉｍｅ、ＲｅａｌＡｕｄｉｏ、ＲｅａｌＶｉｄｅｏ及びＷｉｎｄｏｗｓ（登録商標）  Ｍｅｄｉａ等、さまざまなフォーマットであってもよい。メディアドライブ１１４は、ディスクからオーディオ及び／又はビジュアルコンテンツを読み出し、そのオーディオ及び／又はビジュアルコンテンツを、ソース選択ユニット１２０を通してプロジェクタ１００及び／又はスピーカ１３０に提供する。
【００１３】
メディアプレイヤ１１０は、制御ユニット１１２を使用して制御ユニット１４０から制御信号を受け取る。メディアプアレイヤ１１０は、制御ユニット１１２を使用して情報を制御ユニット１４０に提供する。制御ユニット１１２は、メディアドライブ１１４に制御信号を提供する。
【００１４】
ソース選択ユニット１２０は、メディアプレイヤ１１０、制御ユニット１４０及び外部ソースからオーディオ／ビデオ入力（Ａ／Ｖ  ＩＮ）信号を受け取る（矢印１２２によって示す）。ソース選択ユニット１２０は、プロジェクタ１００、スピーカ１３０及びＡ／Ｖポートにオーディオ／ビデオ出力（Ａ／Ｖ  ＯＵＴ）を提供する（矢印１２４によって示す）。より詳細には、ソース選択ユニット１２０は、制御ユニット１４０からの制御信号に応じて、メディアプレイヤ１１０、制御ユニット１４０又は外部ソースからのオーディオ／ビデオ入力を選択する。ソース選択ユニット１２０は、選択されたオーディオ／ビデオ入力をオーディオ／ビデオ出力としてプロジェクタ１００、スピーカ１３０及びＡ／Ｖポートに提供する。ソース選択ユニット１２０を、オーディオ／ビデオ出力をプロジェクタ１００、スピーカ１３０又はＡ／Ｖポートに選択的に提供するように構成してもよい。
【００１５】
スピーカ１３０は、ソース選択ユニット１２０からオーディオ入力を受け取り、矢印１３２によって示すように、オーディオ入力に応じて可聴音声を生成する。スピーカ１３０は、スピーカ１３０による増幅のためにオーディオ入力を変更する音声処理を含んでもよい。スピーカ１３０は、制御ユニット１４０から制御信号を受け取る。
【００１６】
入出力（Ｉ／Ｏ）ユニット１３４は、１つ又は複数の統合コントロールデバイス１３６と、外部機器（図示せず）又はユーザがメディアプロジェクタシステム１０と通信するのを可能にするように構成される１つ又は複数のポートとを備える。ポートは、メディアプロジェクタユニット１０のためにリモートコントロールデバイス１３８から信号を提供するように構成される赤外線（ＩＲ）ポートと、外部機器との間で情報を転送するための他の任意の適当なポートとを含んでもよい。統合コントロールデバイス１３６は、キーパッド、ボタン、ダイアル、ＬＥＤ、及びユーザから情報を受け取り且つ／又はユーザに情報を提供する他の任意の適当なＩ／Ｏデバイスを含んでもよい。
【００１７】
制御ユニット１４０は、プロセッサ１４２と、不揮発性メモリ１４４、たとえばフラッシュメモリとを備える。不揮発性メモリ１４４は、マネージャモジュール１５２、プロジェクタモジュール１５４、メディアプレイヤモジュール１５６、ソースモジュール１５８、入出力モジュール１６０及びオンスクリーンディスプレイ（ＯＳＤ）情報１６２を含むファームウェア１５０を含む。ファームウェア１５０並びに各モジュール１５２、１５４、１５６、１５８及び１６０は、制御ユニット１４０により機能が実行されるようにする、プロセッサ１４２によって実行可能な命令を含む。オンスクリーンディスプレイ（ＯＳＤ）情報１６２は、スピーカ１３０によって再生され且つ／又はプロジェクタ１００によって表示されるために適したオーディオ及び／又はビジュアルコンテンツを含む。
【００１８】
制御ユニット１４０は、プロセッサ１４２がファームウェア１５０からの命令を実行するのに応じて、プロジェクタ１００、メディアプレイヤ１１０、ソース選択ユニット１２０、スピーカ１３０及びＩ／Ｏユニット１３４を制御する制御信号を生成する。より詳細には、プロセッサ１４２は、マネージャモジュール１５２を実行することにより、プロジェクタモジュール１５４、メディアプレイヤモジュール１５６、ソースモジュール１５８及び入出力モジュール１６０を使用してメディアプロジェクタシステム１０の動作全体を制御する。さらに、プロセッサ１４２は、プロジェクタモジュール１５４、メディアプレイヤモジュール１５６、ソースモジュール１５８及び入出力モジュール１６０を実行して、プロジェクタ１００、メディアプレイヤ１１０、ソース選択ユニット１２０及びＩ／Ｏユニット１３４の動作をそれぞれ制御する。
【００１９】
他の実施形態では、制御ユニット１４０は、このような機能を実行するように構成されるハードウェアコンポーネント及び／又はソフトウェアコンポーネントの他の組合せを含んでもよい。不揮発性メモリ１４４は、ファームウェア１５０を格納するように構成される１つのタイプのメディアを備え、それにより、プロセッサ１４２がファームウェア１５０の命令にアクセスしそれらを実行することができる。他の実施形態では、ファームウェア１５０を、他のタイプのポータブル又は非ポータブルメディアに格納してもよい。
【００２０】
動作時、メディアプロジェクタシステム１０は、プロジェクタ１００が電源投入され動作の準備ができるまで、メディアドライブ１１４内のディスクの再生を遅延させるようにメディアプレイヤ１１０を操作する。メディアプロジェクタシステム１０がディスク再生状態を検出した時に、プロジェクタ１００が電源投入されておらず、又は動作の準備ができていない場合、プロジェクタ１００が電源投入され且つ動作の準備ができるまで、メディアプロジェクタシステム１０はメディアプレイヤ１１０がディスクを再生しないようにする。
【００２１】
図３は、本発明の一実施形態によるメディアプロジェクタシステム１０によるディスクの再生を遅延させる方法を示すフローチャートである。図３において、ブロック３０２に示すように、メディアプロジェクタシステム１０により、ディスク再生状態が検出されたか否かについて判断がなされる。ディスク再生状態は、メディアプレイヤ１１０によってメディアドライブ１１４内のディスクが再生されることにより、ディスクのオーディオ及び／又はビジュアルコンテンツがメディアプレイヤ１１０からプロジェクタ１００及び／又はスピーカ１３０に提供されることを示す。ディスク再生状態を、任意数の状態に応じて開始してもよい。たとえば、ディスク再生状態を、ディスクがメディアドライブ１１４に挿入されることに応じて開始してもよい。また、ディスク再生状態を、メディアプレイヤ１１０内のディスクが再生されるように要求する、Ｉ／Ｏユニット１３４からのユーザ入力に応じて開始してもよい。ユーザ入力を、統合コントロールデバイス１３６から受け取っても又はリモートコントロールデバイス１３８から受け取ってもよい。
【００２２】
ディスク再生状態が検出されていない場合、メディアプロジェクタシステム１０は後にブロック３０２の機能を繰り返す。ディスク再生状態が検出された場合、ブロック３０４に示すように、メディアプロジェクタシステム１０により、プロジェクタ１００が電源投入されているか否かについて判断がなされる。プロジェクタ１００が電源投入されていない場合、ブロック３０６に示すように、メディアプロジェクタシステム１０はプロジェクタ１００の電源投入を開始する。プロジェクタ１００の電源投入を開始することにより、ランプ１０２、空間光変調器１０４及び制御ユニット１０８を含むプロジェクタ１００の各サブシステムが電源投入され且つ／又は初期化される。特に、制御ユニット１０８は、ランプ１０２を照明するプロセスを開始するためにランプ１０２をオンするか又は点灯する（strike）。
【００２３】
プロジェクタ１００が電源投入されているか、又はブロック３０６に示すようにメディアプロジェクタシステム１０によって電源投入された場合、ブロック３０８に示すように、メディアプロジェクタシステム１０により、プロジェクタ１００が動作の準備ができているか否かについて判断がなされる。電源投入されていることに応じて、プロジェクタ１００は、動作の準備ができるために或る長さの時間をとる場合がある。プロジェクタ１００は、プロジェクタ１００の各サブシステムが動作の準備ができていることを示すことに応じて動作の準備ができる。各サブシステムが動作の準備ができると、プロジェクタ１００は、プロジェクタ１００の１つ又は複数のサブシステム（たとえばランプ１０２）が完全にウォームアップする前に発生する可能性のある歪み又は他の悪影響なしに、スクリーン又は他の面に画像を投影することができる。特に、ランプ１０２は、オンされるか又は点灯されることに続いてその最大照明に達する時に動作の準備ができる。
【００２４】
プロジェクタ１００が動作の準備ができていない場合、メディアプロジェクタシステム１０は、後にブロック３０８の機能を繰り返す。プロジェクタ１００が動作の準備ができている場合、ブロック３１０に示すように、メディアプロジェクタシステム１０はディスクを再生する。ディスクを再生することにより、メディアプレイヤ１１０は、プロジェクタ１００に提供されるビデオ信号を生成する。したがって、プロジェクタ１００によるディスクのビジュアルコンテンツの表示は、プロジェクタ１００が電源投入され且つ動作の準備ができるまで遅延される。
【００２５】
ここで、一実施形態による、プロジェクタ１００が電源投入され動作の準備ができるまでディスクの再生を遅延させる際のメディアプロジェクタシステム１０の内部動作について説明する。詳細には、図４を参照して制御ユニット１４０の動作について説明し、図５を参照してメディアプレイヤ１１０の動作について説明する。
【００２６】
図４は、本発明の一実施形態による、メディアプロジェクタシステム１０におけるディスクの再生の遅延を制御する方法を示すフローチャートである。図４において、ブロック４０２に示すように、制御ユニット１４０により、ディスク再生状態が検出されたか否かについて判断がなされる。制御ユニット１４０は、たとえばユーザが統合コントロールデバイス１３６又はリモートコントロールデバイス１３８の再生ボタンを押下することにより、メディアプレイヤ１１０のディスクが再生されるように要求する、Ｉ／Ｏユニット１３４からのユーザ入力を入出力モジュール１６０が検出することに応じて、ディスク再生状態を検出する。入出力モジュール１６０は、ディスク再生状態を検出することに応じてマネージャモジュール１５２に通知を提供する。制御ユニット１４０はまた、ユーザがメディアドライブ１１４にディスクを挿入した場合にメディアプレイヤモジュール１５６がメディアプレイヤ１１０からディスク再生通知を受け取ることに応じてディスク再生状態を検出する。メディアプレイヤモジュール１５６は、ディスク再生状態を検出することに応じて、マネージャモジュール１５２に通知を提供する。
【００２７】
ディスク再生状態が検出されていない場合、制御ユニット１４０は、後にブロック４０２の機能を繰り返す。ディスク再生状態が検出された場合、ブロック４０４に示すように、制御ユニット１４０により、プロジェクタ１００が電源投入されているか否かについて判断がなされる。より詳細には、マネージャモジュール１５２は、プロジェクタ１００のオン／オフ状態を示す情報にアクセスする。一実施形態では、この情報は、制御ユニット１４０がアクセス可能な不揮発性メモリ１４４又は別のメモリ（図示せず）に格納される。別の実施形態では、マネージャモジュール１５２は、プロジェクタモジュール１５４に対し、制御ユニット１０８と通信することにより情報にアクセスさせる。
【００２８】
プロジェクタ１００が電源投入されていない場合、制御ユニット１４０は、ブロック４０６に示すようにプロジェクタ１００に電源が投入されるようにプロジェクタ１００に信号を提供する。より詳細には、マネージャモジュール１５２は、プロジェクタモジュール１５４に対し、ランプ１０２、空間光変調器１０４及び制御ユニット１０８を含むプロジェクタ１００の各サブシステムに電源が投入されるように制御ユニット１０８に信号を提供させる。プロジェクタ１００が電源投入されているか、又はブロック４０６に示すように制御ユニット１４０によって電源投入された場合、ブロック４０８に示すように、制御ユニット１４０により、プロジェクタ１００が動作の準備ができているか否かについて判断がなされる。上述したように、プロジェクタ１００は、プロジェクタ１００の各サブシステムが動作の準備ができていることを示すことに応じて、動作の準備ができる。マネージャモジュール１５２は、プロジェクタ１００の準備ができた状態を示す情報にアクセスする。一実施形態では、この情報は、制御ユニット１４０がアクセス可能な不揮発性メモリ１４４又は別のメモリ（図示せず）に格納される。別の実施形態では、マネージャモジュール１５２は、プロジェクタモジュール１５４に対し、制御ユニット１０８と通信することによって情報にアクセスさせる。準備ができた状態は、たとえば、プロジェクタ１００が動作の準備ができていることか又はプロジェクタ１００がウォームアップしていることを示してもよい。
【００２９】
プロジェクタ１００が動作の準備ができていない場合、制御ユニット１４０は後にブロック４０８の機能を繰り返す。プロジェクタ１００が動作の準備ができている場合、ブロック４１０に示すように、制御ユニット１４０は、ディスクが再生されるようにメディアプレイヤ１１０に再生信号を提供する。したがって、制御ユニット１４０は、制御ユニット１４０がメディアプレイヤ１１０に再生信号を提供するまで、メディアプレイヤ１４０がディスクを再生しないようにする。制御ユニット１４０は、ランプ１０２がオンされ且つ準備ができたことに応じてメディアプレイヤ１１０に再生信号を提供する。
【００３０】
図４に示す方法の代替実施形態では、制御ユニット１４０は、ブロック４０４においてプロジェクタ１００が電源投入されていないことを検出することと、ブロック４１０においてメディアプレイヤ１１０に対しディスクを再生させるように信号を提供することとの間で、規定された時間待機してもよい。この実施形態において規定された時間遅延させることにより、制御ユニット１４０は、メディアプレイヤ１１０にディスクを再生させる前にプロジェクタ１００が電源投入されウォームアップされるのを可能にする。
【００３１】
図５は、本発明の一実施形態によるメディアプレイヤ１１０においてディスクの再生を遅延させる方法を示すフローチャートである。図５において、ブロック５０２に示すように、メディアプレイヤ１１０により、制御ユニット１４０から再生信号が受け取られたか否かについて判断がなされる。再生信号が受け取られている場合、ブロック５１０に示すように、メディアプレイヤ１１０は、メディアドライブ１１４内のディスクを再生する。ディスクを再生することにより、メディアプレイヤ１１０は、プロジェクタ１００に提供されるビデオ信号を生成する。ビデオ信号を受け取ることに応じて、プロジェクタ１００は、ビデオ信号に関連する画像をスクリーン又は他の面に表示する。
【００３２】
再生信号が受け取られていない場合、ブロック５０４に示すように、メディアプレイヤ１１０により、ディスクがメディアドライブ１１４に挿入されているか否かについて判断がなされる。ディスクがメディアドライブ１１４に挿入されていない場合、メディアプレイヤ１１０は、後にブロック５０２の機能を繰り返す。ディスクがメディアドライブ１１４に挿入されている場合、ブロック５０６に示すように、メディアプレイヤ１１０は制御ユニット１４０にディスク再生通知を提供する。メディアプレイヤ１１０は、制御ユニット１４０にこのディスク再生通知を提供することにより、ディスク再生状態が検出されたことを示す。
【００３３】
ディスク再生通知を提供した後、ブロック５０８に示すように、メディアプレイヤ１１０により、制御ユニット１４０から再生信号が受け取られたか否かについて判断がなされる。再生信号が受け取られている場合、ブロック５１０に示すように、メディアプレイヤ１１０はメディアドライブ１１４内のディスクを再生する。再生信号が受け取られていない場合、メディアプレイヤ１１０は、後にブロック５０８の機能を繰り返す。したがって、メディアプレイヤ１１０は、制御ユニット１４０から再生信号を受け取るまで、メディアドライブ１１４内のディスクの再生を遅延させる。
【産業上の利用可能性】
【００３４】
本明細書で説明した実施形態は、従来の解決法に対して利点を提供することができる。たとえば、プロジェクタがビジュアルコンテンツに関連する画像を表示する準備ができる前に、メディアプレイヤがプロジェクタにコンテンツを提供しないようにすることができる。
【００３５】
本明細書では、好ましい実施形態を説明する目的で特定の実施形態を例示し説明したが、当業者には、本発明の範囲から逸脱することなく、図示し説明した特定の実施形態の代りに多種多様な代替の及び／又は均等な実施態様を用いてもよい、ということが理解されよう。機械、電気機械、電気及びコンピュータ技術における当業者は、本発明を非常に多種多様の実施形態で実施することができる、ということを容易に理解するであろう。本出願は、本明細書で論考した好ましい実施形態のいかなる適応又は変形をも包含するように意図されている。したがって、本発明は、特許請求の範囲及びその均等物によってのみ限定される、ということが明確に意図されている。
【図面の簡単な説明】
【００３６】
【図１】本発明の一実施形態によるメディアプロジェクタシステムを示すブロック図である。
【図２Ａ】本発明の一実施形態による空間光変調器を示すブロック図である。
【図２Ｂ】本発明の一実施形態による空間光変調器を示すブロック図である。
【図３】本発明の一実施形態によるメディアプロジェクタシステムによってディスクの再生を遅延させる方法を示すフローチャートである。
【図４】本発明の一実施形態によるメディアプロジェクタシステムにおいてディスクの再生の遅延を制御する方法を示すフローチャートである。
【図５】本発明の一実施形態によるメディアプレイヤにおいてディスクの再生を遅延させる方法を示すフローチャートである。
【符号の説明】
【００３７】
１０・・・メディアプロジェクタシステム
１００・・・プロジェクタ
１０２・・・ランプ
１０４・・・空間光変調器
１０６・・・レンズ
１０８・・・制御
１１０・・・メディアプレイヤ
１１２・・・制御
１１４・・・メディアドライブ
１２０・・・ソース選択
１３０・・・スピーカ
１３４・・・入出力
１３６・・・統合コントロールデバイス
１３８・・・リモートコントロールデバイス
１４０・・・制御
１４２・・・プロセッサ
１４４・・・不揮発性メモリ
１５０・・・ファームウェア
１５２・・・マネージャ
１５４・・・プロジェクタ
１５６・・・メディアプレイヤ
１５８・・・ソース
１６０・・・入出力
１６２・・・ＯＳＤ
２０２・・・デジタルマイクロミラーデバイス
２１２・・・液晶ディスプレイ
【図１】
2008506216.tif 000003
【図２Ａ】
2008506216.tif 000004
【図２Ｂ】
2008506216.tif 000005
【図３】
2008506216.tif 000006
【図４】
2008506216.tif 000007
【図５】
2008506216.tif 000008
【国際調査報告】
2008506216.tif 000009
2008506216.tif 000010
2008506216.tif 000011
2008506216.tif 000012